(57)【要約】  現場の支援データを移動体デバイスに提供する方法および装置を開示する。本開示の態様にしたがって、同じエリアに対して、支援データの複数のまたは異なるバージョンを発生させてもよい。アクセスエリアによって制限が適用されてもよく、したがって、ポジショニンググリッド、ヒートマップ、およびマップを、現場のあるセクションに制限することができ、ユーザ信用情報、時間ベースの制限、チケットベースの制限、または、ロイヤルティーベースの制限、あるいは、これらの任意の組み合わせのうちの少なくとも１つに基づいて、関心のあるポイント（ＰＯＩ）およびサーチ特徴を提供してもよい。【選択図】図６Ａ
2017511469.tif 000002
【特許請求の範囲】
【請求項１】
支援データを提供する方法において、
現場の前記支援データにアクセスするための要求を移動体デバイスから受信することと、
前記移動体デバイスに関係付けられているユーザ信用証明を取り出すことと、
前記ユーザ信用証明に少なくとも部分的に基づいて、前記現場にアクセスするための前記移動体デバイスの特権を決定することと、
前記現場にアクセスするための前記移動体デバイスの特権に少なくとも部分的に基づいて、前記現場の支援データを前記移動体デバイスに提供することとを含む方法。
【請求項２】
前記現場にアクセスするための前記移動体デバイスの特権を決定することは、
時間ベースの制限にしたがって、前記現場にアクセスするための前記移動体デバイスの特権を決定することと、
チケットベースの制限にしたがって、前記現場にアクセスするための前記移動体デバイスの特権を決定することと、または、
ロイヤルティーベースの制限にしたがって、前記現場にアクセスするための前記移動体デバイスの特権を決定することとのうちの少なくとも１つをさらに含む請求項１記載の方法。
【請求項３】
前記現場の支援データを提供することは、
前記現場の支援データを前記現場のマップのセットに制限すること、または、
前記現場の支援データを前記現場のサーチ特徴のセットに制限することのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む請求項１記載の方法。
【請求項４】
前記現場の支援データを提供することは、
前記現場の支援データを前記現場のポジショングリッドのセットに制限することと、または、
前記現場の支援データを前記現場の関心のあるポイントのセットに制限することとのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む請求項１記載の方法。
【請求項５】
前記現場の支援データを前記移動体デバイスに提供することは、
前記現場にアクセスするための前記移動体デバイスの特権に少なくとも部分的に基づいて、前記移動体デバイスのポジションを提供することをさらに含む請求項１記載の方法。
【請求項６】
前記移動体デバイスのポジションを提供することは、
前記現場にアクセスするための前記移動体デバイスの特権にしたがって、可能性あるポジションの確率分布の表示を提供することを含む請求項５記載の方法。
【請求項７】
前記現場の支援データを前記移動体デバイスに提供することは、
前記現場にアクセスするための前記移動体デバイスの特権にしたがって、１つ以上のロケーションコンテキスト識別子を前記移動体デバイスに提供することをさらに含む請求項１記載の方法。
【請求項８】
前記１つ以上のロケーションコンテキスト識別子を前記移動体デバイスに提供することは、
前記現場にアクセスするための前記移動体デバイスの特権にしたがって、バロメータベースのロケーションコンテキスト識別子曖昧性解消を前記移動体デバイスに提供することを含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項７記載の方法。
【請求項９】
装置において、
ユーザ信用証明を記憶するように構成されているデータベースと、
処理論理を含む１つ以上のプロセッサと、
現場の支援データを記憶するように構成されているメモリとを具備し、
前記処理論理は、
前記現場の支援データにアクセスするための要求を移動体デバイスから受信するように構成されている論理と、
前記移動体デバイスに関係付けられている前記ユーザ信用証明を前記データベースから取り出すように構成されている論理と、
前記ユーザ信用証明に少なくとも部分的に基づいて、前記現場にアクセスするための前記移動体デバイスの特権を決定するように構成されている論理と、
前記現場にアクセスするための前記移動体デバイスの特権に少なくとも部分的に基づいて、前記現場の支援データを前記移動体デバイスに提供するように構成されている論理とを備える装置。
【請求項１０】
前記現場にアクセスするための前記移動体デバイスの特権を決定するように構成されている論理は、
時間ベースの制限にしたがって、前記現場にアクセスするための前記移動体デバイスの特権を決定するように構成されている論理と、
チケットベースの制限にしたがって、前記現場にアクセスするための前記移動体デバイスの特権を決定するように構成されている論理と、または、
ロイヤルティーベースの制限にしたがって、前記現場にアクセスするための前記移動体デバイスの特権を決定するように構成されている論理とのうちの少なくとも１つをさらに含む請求項９記載の装置。
【請求項１１】
前記現場の支援データを提供するように構成されている論理は、
前記現場の支援データを前記現場のマップのセットに制限するように構成されている論理と、または、
前記現場の支援データを前記現場のサーチ特徴のセットに制限するように構成されている論理とのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む請求項９記載の装置。
【請求項１２】
前記現場の支援データを提供するように構成されている論理は、
前記現場の支援データを前記現場のポジショングリッドのセットに制限するように構成されている論理と、または、
前記現場の支援データを前記現場の関心のあるポイントのセットに制限するように構成されている論理とのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む請求項９記載の装置。
【請求項１３】
前記現場の支援データを前記移動体デバイスに提供するように構成されている論理は、
前記現場にアクセスするための前記移動体デバイスの特権に少なくとも部分的に基づいて、前記移動体デバイスのポジションを提供するように構成されている論理をさらに含む請求項９記載の装置。
【請求項１４】
前記移動体デバイスのポジションを提供するように構成されている論理は、
前記現場にアクセスするための前記移動体デバイスの特権にしたがって、可能性あるポジションの確率分布の表示を提供するように構成されている論理を含む請求項１３記載の装置。
【請求項１５】
前記現場の支援データを前記移動体デバイスに提供するように構成されている論理は、
前記現場にアクセスするための前記移動体デバイスの特権にしたがって、１つ以上のロケーションコンテキスト識別子を前記移動体デバイスに提供するように構成されている論理をさらに含む請求項９記載の装置。
【請求項１６】
前記１つ以上のロケーションコンテキスト識別子を前記移動体デバイスに提供するように構成されている論理は、
前記現場にアクセスするための前記移動体デバイスの特権にしたがって、バロメータベースのロケーションコンテキスト識別子曖昧性解消を前記移動体デバイスに提供するように構成されている論理を含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項１５記載の装置。
【請求項１７】
１つ以上のコンピュータシステムによる実行のための命令を記憶している非一時的媒体を具備するコンピュータプログラムプロダクトにおいて、
前記命令は、
現場の支援データにアクセスするための要求を移動体デバイスから受信するための命令と、
前記移動体デバイスに関係付けられているユーザ信用証明を取り出すための命令と、
前記ユーザ信用証明に少なくとも部分的に基づいて、前記現場にアクセスするための前記移動体デバイスの特権を決定するための命令と、
前記現場にアクセスするための前記移動体デバイスの特権に少なくとも部分的に基づいて、前記現場の支援データを前記移動体デバイスに提供するための命令とを含むコンピュータプログラムプロダクト。
【請求項１８】
前記現場にアクセスするための前記移動体デバイスの特権を決定するための命令は、
時間ベースの制限にしたがって、前記現場にアクセスするための前記移動体デバイスの特権を決定するための命令と、
チケットベースの制限にしたがって、前記現場にアクセスするための前記移動体デバイスの特権を決定するための命令と、または、
ロイヤルティーベースの制限にしたがって、前記現場にアクセスするための前記移動体デバイスの特権を決定するための命令とのうちの少なくとも１つをさらに含む請求項１７記載のコンピュータプログラムプロダクト。
【請求項１９】
前記現場の支援データを提供するための命令は、
前記現場の支援データを前記現場のマップのセットに制限するための命令と、または、
前記現場の支援データを前記現場のサーチ特徴のセットに制限するための命令とのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む請求項１７記載のコンピュータプログラムプロダクト。
【請求項２０】
前記現場の支援データを提供するための命令は、
前記現場の支援データを前記現場のポジショングリッドのセットに制限するための命令と、または、
前記現場の支援データを前記現場の関心のあるポイントのセットに制限するための命令とのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む請求項１７記載のコンピュータプログラムプロダクト。
【請求項２１】
前記現場の支援データを前記移動体デバイスに提供するための命令は、
前記現場にアクセスするための前記移動体デバイスの特権に少なくとも部分的に基づいて、前記移動体デバイスのポジションを提供するための命令をさらに含む請求項１７記載のコンピュータプログラムプロダクト。
【請求項２２】
前記移動体デバイスのポジションを提供するための命令は、
前記現場にアクセスするための前記移動体デバイスの特権にしたがって、可能性あるポジションの確率分布の表示を提供するための命令を含む請求項２１記載のコンピュータプログラムプロダクト。
【請求項２３】
前記現場の支援データを前記移動体デバイスに提供するための命令は、
前記現場にアクセスするための前記移動体デバイスの特権にしたがって、１つ以上のロケーションコンテキスト識別子を前記移動体デバイスに提供するための命令をさらに含む請求項１７記載のコンピュータプログラムプロダクト。
【請求項２４】
前記１つ以上のロケーションコンテキスト識別子を前記移動体デバイスに提供するための命令は、
前記現場にアクセスするための前記移動体デバイスの特権にしたがって、バロメータベースのロケーションコンテキスト識別子曖昧性解消を前記移動体デバイスに提供するための命令を含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項２３記載のコンピュータプログラムプロダクト。
【請求項２５】
装置において、
現場の支援データにアクセスするための要求を移動体デバイスから受信する手段と、
前記移動体デバイスに関係付けられているユーザ信用証明を取り出す手段と、
前記ユーザ信用証明に少なくとも部分的に基づいて、前記現場にアクセスするための前記移動体デバイスの特権を決定する手段と、
前記現場にアクセスするための前記移動体デバイスの特権に少なくとも部分的に基づいて、前記現場の支援データを前記移動体デバイスに提供する手段とを具備する装置。
【請求項２６】
前記現場にアクセスするための前記移動体デバイスの特権を決定する手段は、
時間ベースの制限にしたがって、前記現場にアクセスするための前記移動体デバイスの特権を決定する手段と、
チケットベースの制限にしたがって、前記現場にアクセスするための前記移動体デバイスの特権を決定する手段と、または、
ロイヤルティーベースの制限にしたがって、前記現場にアクセスするための前記移動体デバイスの特権を決定する手段とのうちの少なくとも１つをさらに備える請求項２５記載の装置。
【請求項２７】
前記現場の支援データを提供する手段は、
前記現場の支援データを前記現場のマップのセットに制限する手段と、または、
前記現場の支援データを前記現場のサーチ特徴のセットに制限する手段とのうちの少なくとも１つを備え、
前記現場のマップのセットは、前記移動体デバイスがアクセスすることを認可されているエリアを識別し、
前記サーチ特徴のセットは、前記移動体デバイスがサーチすることを認可されている前記現場の情報を含む請求項２５記載の装置。
【請求項２８】
前記現場の支援データを提供する手段は、
前記現場の支援データを前記現場のポジショングリッドのセットに制限する手段と、または、
前記現場の支援データを前記現場の関心のあるポイントのセットに制限する手段とのうちの少なくとも１つをさらに備え、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む請求項２５記載の装置。
【請求項２９】
前記現場の支援データを前記移動体デバイスに提供する手段は、
前記現場にアクセスするための前記移動体デバイスの特権に少なくとも部分的に基づいて、前記移動体デバイスのポジションを提供する手段をさらに備える請求項２５記載の装置。
【請求項３０】
前記移動体デバイスのポジションを提供する手段は、
前記現場にアクセスするための前記移動体デバイスの特権にしたがって、可能性あるポジションの確率分布の表示を提供する手段を含む請求項２９記載の装置。
【発明の詳細な説明】
【関連出願の相互参照】
【０００１】
［０００１］
本出願は、「ユーザベースのポジショニングおよび支援データのための方法および装置」と題され、２０１４年３月１４日に出願され、この出願の譲受人に譲渡されている米国出願番号第１４／２１３，５９５号の利益を主張する。前述の米国出願は、参照により全体の内容がここに組み込まれている。
【分野】
【０００２】
［０００２］
本開示は、ワイヤレス通信の分野に関連している。特に、本開示は、ユーザベースのポジショニングおよび／または支援データを提供するための方法および装置に関連している。
【背景】
【０００３】
［０００３］
従来の屋内ポジショニングシステムでは、同じ支援データ（ＡＤ）および現場のマップがすべてのユーザに提示されることが多い。加えて、ポジショニングに対して配備できるすべてのロケーションコンテキスト識別子上で、ポジショニングが、すべてのユーザに提供されるかもしれない。ここで使用するように、ロケーションコンテキスト識別子（ＬＣＩ）は、エリアまたはロケーションを識別できる情報を指す。異なるＬＣＩが、エリア、例えば、ナビゲーション支援データが利用可能であるかもしれないエリアを識別または特徴付ける。このような従来のシステムの１つの欠点は、サービス品質において、差別化を提供できないことである。このような従来のシステムの別の欠点は、ユーザがアクセスを許容されていないかもしれない現場中のエリアに対する支援データを発生させるかもしれないことであり、これは、コンピューティングリソースおよび送信帯域幅の不必要な消費につながるかもしれない。このような従来のシステムのさらに別の欠点は、ユーザが関心のない、現場の支援データを発生させるかもしれないということであり、これは、あまり望ましくないユーザ経験につながるかもしれない。
【概要】
【０００４】
［０００４］
ユーザベースのポジショニングおよび／または支援データを提供するための方法および装置を開示する。本開示の態様にしたがって、同じＬＣＩに対して、支援データの複数のまたは異なるバージョンを発生させてもよい。アクセスエリアによって制限を適用してもよく、したがって、ポジショニンググリッド、ヒートマップ、およびマップを現場のあるセクションに限定でき、関心のあるポイント（ＰＯＩ）およびサーチ特徴が、ユーザ信用証明、時間ベースの制限、チケットベースの制限、または、ロイヤルティーベースの制限、あるいは、これらの任意の組み合わせのうちの少なくとも１つに基づいて提供されてもよい。
【０００５】
［０００５］
１つの実施形態において、支援データを提供する方法は、現場の支援データにアクセスするための要求を移動体デバイスから受信することと、移動体デバイスに関係付けられているユーザ信用証明を取り出すことと、ユーザ信用証明に少なくとも部分的に基づいて、現場にアクセスするための移動体デバイスの特権を決定することと、現場にアクセスするための移動体デバイスの特権に少なくとも部分的に基づいて、現場の支援データを移動体デバイスに提供することとを含んでいてもよい。
【０００６】
［０００６］
別の実施形態において、支援データを提供する装置は、ユーザ信用証明を記憶するように構成されているデータベースと、処理論理を含む１つ以上のプロセッサと、現場の支援データを記憶するように構成されているメモリとを含んでいてもよい。処理論理は、現場の支援データにアクセスするための要求を移動体デバイスから受信するように構成されている論理と、移動体デバイスに関係付けられているユーザ信用証明をデータベースから取り出すように構成されている論理と、ユーザ信用証明に少なくとも部分的に基づいて、現場にアクセスするための移動体デバイスの特権を決定するように構成されている論理と、現場にアクセスするための移動体デバイスの特権に少なくとも部分的に基づいて、現場の支援データを移動体デバイスに提供するように構成されている論理とを備えている。
【０００７】
［０００７］
さらに別の実施形態では、コンピュータプログラムプロダクトは、１つ以上のコンピュータシステムによる実行のための命令を記憶している非一時的媒体を含んでいる。命令は、現場の支援データにアクセスするための要求を移動体デバイスから受信するための命令と、移動体デバイスに関係付けられているユーザ信用証明を取り出すための命令と、ユーザ信用証明に少なくとも部分的に基づいて、現場にアクセスするための移動体デバイスの特権を決定するための命令と、現場にアクセスするための移動体デバイスの特権に少なくとも部分的に基づいて、現場の支援データを移動体デバイスに提供するための命令とを備えている。
【０００８】
［０００８］
さらに別の実施形態において、装置は、現場の支援データにアクセスするための要求を移動体デバイスから受信する手段と、移動体デバイスに関係付けられているユーザ信用証明を取り出す手段と、ユーザ信用証明に少なくとも部分的に基づいて、現場にアクセスするための移動体デバイスの特権を決定する手段と、現場にアクセスするための移動体デバイスの特権に少なくとも部分的に基づいて、現場の支援データを移動体デバイスに提供する手段とを備えている。
【図面の簡単な説明】
【０００９】
［０００９］
本開示の前述の特徴および利点とともに、その追加の特徴および利点は、以下の図面の非限定的および非網羅的な態様に関連して、本開示の実施形態の詳細な説明を読んだ後により明確に理解可能だろう。図面全体にわたって同様の数字を使用する。
【図１Ａ】［００１０］  図１Ａは、本開示の態様にしたがって、現場の支援データを提供する例示的なインプリメンテーションを図示している。
【図１Ｂ】［００１１］  図１Ｂは、本開示の態様にしたがって、図１Ａ中の現場の支援データを提供する別の例示的なインプリメンテーションを図示している。
【図１Ｃ】［００１２］  図１Ｃは、本開示の態様にしたがって、図１Ａ中の現場の支援データを提供するさらに別の例示的なインプリメンテーションを図示している。
【図１Ｄ】［００１３］  図１Ｄは、本開示の態様にしたがって、図１Ａ中の現場の支援データを提供するさらに別の例示的なインプリメンテーションを図示している。
【図２Ａ】［００１４］  図２Ａは、本開示の態様にしたがって、現場にアクセスするためのユーザの特権に基づいて、現場の支援データを提供する例示的なインプリメンテーションを図示している。
【図２Ｂ】［００１５］  図２Ｂは、本開示の態様にしたがって、現場にアクセスするためのユーザの特権に基づいて、図２Ａ中の現場の支援データを提供する別の例示的なインプリメンテーションを図示している。
【図３Ａ】［００１６］  図３Ａは、本開示の態様にしたがって、現場にアクセスするためのユーザの特権に基づいて、現場の支援データを提供する別の例示的なインプリメンテーションを図示している。
【図３Ｂ】［００１７］  図３Ｂは、本開示の態様にしたがって、現場にアクセスするためのユーザの特権に基づいて、図３Ａ中の現場の支援データを提供するさらに別の例示的なインプリメンテーションを図示している。
【図４】［００１８］  図４は、本開示の態様にしたがって、現場にアクセスするためのユーザの特権に基づいて、現場の支援データを提供するさらに別の例示的なインプリメンテーションを図示している。
【図５】［００１９］  図５は、本開示の態様にしたがって、ポジショニング支援データを提供する例示的な装置を図示している。
【図６Ａ】［００２０］  図６Ａは、本開示の態様にしたがって、ユーザベースの支援データを提供する方法を実現するための例示的なフローチャートを図示している。
【図６Ｂ】［００２１］  図６Ｂは、本開示の態様にしたがって、現場にアクセスするための移動体デバイスの特権を決定するための例示的なインプリメンテーションを図示している。
【図６Ｃ】［００２２］  図６Ｃは、本開示の態様にしたがって、現場の支援データを移動体デバイスに提供するための例示的なインプリメンテーションを図示している。
【図６Ｄ】［００２３］  図６Ｄは、本開示の態様にしたがって、現場の支援データを移動体デバイスに提供するための別の例示的なインプリメンテーションを図示している。
【図７】［００２４］  図７は、本開示の態様にしたがった、移動体デバイスの例示的なブロックダイヤグラムを図示している。
【実施形態の説明】
【００１０】
［００２５］
ユーザベースのポジショニングおよび／または現場の支援データを移動体デバイスに提供する実施形態を開示する。以下の説明は、当業者が本発明を製作および使用できるように提示している。特定の実施形態およびアプリケーションの説明は、単なる例として提供する。ここで説明する例のさまざまな修正および組み合わせは、当業者にとって容易に明らかとなり、ここで定義する一般的な原理は、本開示の範囲から逸脱することなく、他の例およびアプリケーションに適用することができる。したがって、本開示は、説明し、示した例に限定することを意図しているのではなく、ここで開示した原理と特徴とに一致した最も広い範囲に一致させるべきである。ワード「例示的な」または「例」は、「例、事例、または例示として役割を果たすこと」を意味するようにここで使用される。「例示的な」ものとして、または「例」として、ここで説明するいずれの態様または実施形態も、他の態様または実施形態と比較して、必ずしも好ましいものとして、または、有利なものとして解釈すべきではない。
【００１１】
［００２６］
図１Ａは、本開示の態様にしたがって、現場の支援データを提供する例示的なインプリメンテーションを図示している。この例において、現場１００は、小売りセクション１０２およびバックオフィスセクション１０４を含んでいてもよい。本開示の態様にしたがうと、現場１００のような現場は、アクセスのために利用可能なその環境の特性を提供してもよい。例えば、ワイヤレス送信機ロケーションとともに、現場の屋内／屋外環境の概略マップを取得してもよい。より具体的には、１つ以上の概略マップまたは他の屋内／屋外環境特性は、支援データの形態で移動体デバイスに提供されてもよい。
【００１２】
［００２７］
さらに、現場１００のような現場は、例えば、ナビゲーションサービスが配備されるかもしれない、屋内および／または屋外環境を指してもよい。表わされている参照の、所望のまたは適切なポイントにしたがって、例えば、地理的座標（例えば、緯度、経度等）、通りのアドレス、政府の管轄区域、郵便番号、名前、またはこれらの任意の組み合わせ等を介して、物体または物（例えば、ユーザ、または移動体デバイス等）の所在に関係付けられているかもしれない物理的場所または位置を、現場は指してもよい。さらに、または代替的に、現場は、他の可能性あるインプリメンテーションをただ図示するために、高度、時間、方向、距離、またはこれらの任意の組み合わせ等への参照も含んでいてもよい。特定のインプリメンテーションに依存して、現場は、例えば、図１Ａ中で説明するように、屋内環境に関係付けられた、さまざまな部分的にまたは実質的に囲まれたエリアを含んでいてもよい。
【００１３】
［００２８］
本開示の態様にしたがって、さまざまな使用シナリオを取り扱うために、支援データを提供してもよい。例えば、従業員およびある訪問者は、小売りセクション１０２およびバックオフィスセクション１０４の両方へのアクセスを有していてもよい。顧客は、小売りセクション１０２へのアクセスのみを有していてもよい。安全の理由のため、顧客にバックオフィスセクション１０４に対する表示マップを使わせないことが有益であるかもしれない。
【００１４】
［００２９］
図１Ｂは、本開示の態様にしたがって、図１Ａ中の現場の支援データを提供する別の例示的なインプリメンテーションを図示している。図１Ｂ中で示す例では、小売りセクション１０２およびバックオフィスセクション１０４を示すことに加えて、現場１００にアクセスするためのユーザの特権に基づいて、１０６ａ、１０６ｂ、および１０６ｃのような、現場１００のより詳細な情報が支援データ中に含まれていてもよい。
【００１５】
［００３０］
本開示の態様にしたがうと、現場１００のような現場の詳細な情報は、壁、ドア、レール、または柱；家具または小部屋仕切り；エレベータまたは階段；または任意のこれらの組み合わせ等を含んでいてもよいが、これらに限定されない。現場の詳細な情報は、物理的な世界中に存在していてもよく、現場の概略マップの一部として含まれる対応する表現を有していてもよい。例えば、現場１００が書店である場合、詳細な情報１０６ａ、１０６ｂ、および１０６ｃは、書棚のロケーションを含んでいてもよい。現場１００がデパートである場合、詳細な情報１０６ａ、１０６ｂ、および１０６は、商品の棚およびディスプレイを含んでいてもよい。請求項中に記載されている主題事項は、このように限定されていないが、現場の詳細な説明は、このように、現場の、ビルディングの特徴または他の物体を含んでいてもよい。他方で、現場は、ほんの数例を挙げると、ロビー、共通エリア、通路、または部屋等のようなオープンエリアも有していてもよい。
【００１６】
［００３１］
図１Ｃは、本開示の態様にしたがって、図１Ａ中の現場の支援データを提供するさらに別の例示的なインプリメンテーションを図示している。図１Ｃ中に示すように、図１Ｂ中で示す特徴に加えて、ユーザがバックオフィスセクション１０４にアクセスするための特権を有しているとき、ユーザに提供されることになる支援データは、バックオフィスセクション１０４についてのより詳細な情報を含んでいてもよい。
【００１７】
［００３２］
図１Ｄは、本開示の態様にしたがって、図１Ａ中の現場の支援データを提供するさらに別の例示的なインプリメンテーションを図示している。図１Ｄ中に示す例では、図１Ｃ中で示す特徴に加えて、１０８ａ、１０８ｂ、１０８ｃ、および１０８ｄとして示されている、１つ以上のアクセスポイントデバイスにアクセスするための特権をユーザが有している場合、支援データは、現場１００中に１つ以上のアクセスポイントデバイスをさらに含んでいてもよい。
【００１８】
［００３３］
本開示の態様にしたがうと、少なくとも１つのアクセスポイントデバイス１０８ａ、１０８ｂ、１０８ｃ、または１０８ｄに関連する情報を、支援データとして取得し、提供してもよい。例えば、現場中の少なくとも１つのアクセスポイントデバイスの観測をすることができ、少なくとも１つのアクセスポイントデバイスについて観測した情報をコンパイルすることができる。少なくとも１つのアクセスポイントデバイスについて観測した情報は、観測時間、緯度、経度、高度、水平不確実性、垂直不確実性を含むかもしれないがこれらに限定されないことに留意すべきである。少なくとも１つのアクセスポイントデバイスについて観測した情報は、ＭＡＣ（媒体アクセス制御）アドレス、ＳＳＩＤ（サービスセット識別子）、ＲＳＳＩ（受信信号強度表示）、ＲＴＴ（往復時間）、無線仕様および周波数帯域をさらに含んでいてもよい。ロケーションの説明は、ＧＮＳＳ（グローバルナビゲーション衛星システム）ポジション測定情報およびＷｉＦｉ（登録商標）ポジション測定情報のうちの少なくとも１つを含んでいてもよい。
【００１９】
［００３４］
ポジション測定は、単なる例として、弧のような、移動体デバイスとワイヤレス送信機／アクセスポイントとの間の半径距離を含んでいてもよく、半径距離は、円の少なくとも一部分の周りに境界線を描くことができる。ワイヤレス送信機に関する移動体デバイスによる少なくとも１つの測定値（例えば、ＲＴＴ値、またはＲＳＳＩ値等）は、移動体デバイスとワイヤレス送信機との間の範囲を移動体デバイスが推定できるようにしてもよい。ＲＴＴは、例えば、現場１００中の移動体デバイスと１つ以上のアクセスポイントデバイス（１０８ａ、１０８ｂ、１０８ｃ、および１０８ｄ）との間の１つ以上の通信交換から導出してもよい。
【００２０】
［００３５］
図１Ａから図１Ｄ中で示す例において、図１Ｄ中のユーザは、図１Ｃ中のユーザよりも高い特権を有していてもよく、図１Ｃ中のユーザは、図１Ｂ中のユーザよりも高い特権を有していてもよく、図１Ｂ中のユーザは、次に、図１Ａ中のユーザよりも高い特権を有していてもよいことに留意すべきである。本開示の態様にしたがうと、ユーザは、ある特徴にアクセスするための特権を有していてもよいが、ある他の特徴にアクセスするための特権を有していなくてもよい。言い換えると、各ユーザは特権の異なるセットを有することができ、特権の異なるセットは、図１Ａから図１Ｄ中で示す例に限定されなくてもよい。例えば、ユーザは、１つ以上のアクセスポイントデバイス１０８ａ−１０８ｄにアクセスするための特権を有していてもよいが、バックオフィス１０４にアクセスするための特権を有していないかしれず、または、逆もまた同じである。
【００２１】
［００３６］
図２Ａは、本開示の態様にしたがって、現場にアクセスするためのユーザの特権に基づいて、現場の支援データを提供する例示的なインプリメンテーションを図示している。図２Ａ中に示すように、１つ以上のエリア２０２ａ、２０２ｂ、および２０２ｃのエリアへのアクセス可能性が、特定のユーザの特権および他の条件に基づいていてもよい、１つ以上のエリア２０２ａ、２０２ｂ、および２０２ｃを、現場２００のような現場は含んでいてもよい。現場２００のような同じ現場に対して、複数の支援データを発生させることができる。例えば、１つ以上のエリア２０２ａ、２０２ｂ、および２０２ｃのようなアクセスエリアによって、制限が適用されてもよい。いくつかのインプリメンテーションでは、ラベルを提供しない代わりに、図２Ａ中で示す支援データを有する特定のユーザが１つ以上のエリア２０２ａ、２０２ｂ、および２０２ｃのエリアにアクセスするための特権を有していないかもしれないと示す、制限エリアＡ、制限エリアＢ、および制限エリアＣとして、これらのエリアをそれぞれラベル付けしてもよい。さらに、ポジショニンググリッド、ヒートマップ、およびマップを、現場のあるセクションに制限することができ、ユーザ信用証明、時間ベースの制限、チケットベースの制限、または、ロイヤルティーベースの制限、あるいは、これらの任意の組み合わせのうちの少なくとも１つに基づいて、ＰＯＩおよびサーチ特徴を制限してもよい。
【００２２】
［００３７］
本開示の態様にしたがうと、ポジショニング支援データは、現場２００のような現場中の移動体デバイスの可能性のあるポジションを決定するように提供されてもよい。ポジションは、現場の概略マップの一部として含まれる対応する表現を有していてもよい。ポジションは、物理的な世界における相当するロケーションも有していてもよい。ポジションは、任意のレベルの粒度またはスケールに規定されていてもよい。例えば、ポジションは、ほんの数例を挙げると、３０．４８センチメートル（１フィート）、６０．９６センチメートル（２フィート）、または３０４．８センチメートル（１０フィート）離れていてもよい。ポジションはまた、任意の方法で編成または構成されていてもよい。単なる例として、ポジションは点のグリッドに編成されていてもよく、これは、ローカルまたはグローバル座標系に関係付けられていてもよく、実質的に均一な間隔で、現場のフロアプランまたは他の概略マップに渡って配置されていてもよい。点のグリッドのスケール（例えば、隣接点間の間隔または距離）は、ユーザ信用証明、時間ベースの制限、チケットベースの制限、ロイヤルティーベースの制限、ポジショニングまたは他のロケーションベースのサービスに対する所望の精度レベル、リソース（例えば、メモリ、処理等）の利用可能な量、カバーされている概略マップまたは部屋のサイズ、これらの任意の組み合わせ等に少なくとも部分的に基づいて、変化してもよい。１つの特定のインプリメンテーションにおいて、グリッド点は、例えば、少なくとも現場の一部分をカバーするのに十分な規則的間隔で置かれていてもよく、または、ポジショニングされていてもよい。
【００２３】
［００３８］
図２Ｂは、本開示の態様にしたがって、現場にアクセスするためのユーザの特権に基づいて、図２Ａ中の現場の支援データを提供する別の例示的なインプリメンテーションを図示している。図２Ｂの例において、異なるユーザ特権により、１つ以上のエリア２０２ａ、２０２ｂ、および２０２ｃの詳細を示す追加の情報が、支援データ中に提供されてもよい。いくつかのインプリメンテーションにおいて、1つ以上のエリア２０２ａ、２０２ｂ、および２０２ｃは、例えば、ラボラトリーＡ、ラボラトリーＢ、およびラボラトリーＣとそれぞれ識別され、これらのエリアにアクセスするための特権を有しているかもしれないユーザに図２Ｂ中で示す支援データを提供してもよい。
【００２４】
［００３９］
本開示の態様にしたがって、ユーザの特権に基づいて、支援データを主要な歩行者用通路に、領域または部屋の入口に制限してもよく、このような領域または部屋のような内部のコンテンツは、このような領域または部屋にアクセスするための特権を有していないユーザに示されなくてもよい。実行可能／実行不可能領域は、ユーザ信用証明、時間ベースの制限、チケットベースの制限、または、ロイヤルティーベースの制限、あるいは、これらの任意の組み合わせに基づいて変更できる。粒子フィルタが、移動体デバイス中のポジショニングアルゴリズムのインプリメンテーションとして使用される場合、粒子は、ＬＣＩの実行可能ポイント内でのみ伝搬されてもよい。
【００２５】
［００４０］
図３Ａは、本開示の態様にしたがって、現場にアクセスするためのユーザの特権に基づいて、現場の支援データを提供する別の例示的なインプリメンテーションを図示している。図３Ａ中で示す例では、現場３００のような現場への訪問者には、あるフロアへのアクセスのみが提供されてもよい。いくつかの実施形態において、現場３００のフロアを表すために、ＬＣＩを使用してもよい。いくつかの他の実施形態では、現場３００のフロアを表すために、複数のＬＣＩを使用してもよい。訪問者の信用証明に基づいて、その現場中の他の屋内ポジショニングイネーブルＬＣＩへのアクセスの制限、屋内ポジショニングの使用への時間ベースの制限、および／または、現場３００内のあるエリアにアクセスするためのチケットベースの制限を、訪問者に提供してもよい。例えば、図３Ａでは、現場３００にアクセスするための第１のユーザの特権に基づいて、現場３００の異なるフロア間の接続を提供するエリア３０２および３０４を、マスクしてもよい。一方、図３Ｂでは、現場３００の異なるフロアにアクセスするための第２のユーザの有効な特権にしたがって、異なるフロアを接続する階段およびエレベータを示す、エリア３０２および３０４に関する情報を、支援データ中に提供してもよい。
【００２６】
［００４１］
別の例について、第１のユーザが基本的な特権を有しており、現場中の１つのＬＣＩに制限されている場合、ＬＣＩ中のＷｉＦｉアクセスポイントについての情報を含んでいる支援データを、このユーザに提供してもよい。バロメータベースのＬＣＩ曖昧性解消に関連する支援テータは、このユーザに使わせないでおいてもよい。一方、第２のユーザが、現場の異なるフロア上の複数のＬＣＩにアクセスするためのプレミアムな特権を有している場合、第１のユーザに提供してもよい支援データに加えて、バロメータベースのＬＣＩ曖昧性解消に関連する支援データを、この第２のユーザに提供してもよい。支援データは、レベル間の高さの差、レベルの数、遷移マトリックス、または、これらの組み合わせを含んでいてもよい。さらにまたは代替的に、ユーザがいくつかのＬＣＩにアクセスすることを制限されている場合、マップサーバからユーザの移動体デバイスに候補ＬＣＩを送ってもよい。ユーザが報告する可視ＭＡＣ  ＩＤを、これらのＬＣＩに制限することができる。上記の例で示したように、現場にアクセスするためのユーザの特権に基づいて支援データを提供することにより、現場にアクセスするための彼らの対応する特権にしたがって、複数のレベルのサービスを異なるユーザに提供できる。第１のユーザが基本的な特権を有しているときのケースでは、このユーザに提供されることになる支援データのサイズは低減されるかもしれず、これは、次に、送信され、記憶されることになるデータの量を減らすことができる。第２のユーザがプレミアムな特権を有するときのケースでは、このユーザに提供されることになる支援データ中に追加の情報が含まれてもよく、これは、次に、現場における第２のユーザに対するユーザ経験を向上させるために使用することができる。
【００２７】
［００４２］
本開示の態様にしたがって、時間ベースの制限、チケットベースの制限、または、ロイヤルティーベースの制限、あるいは、これらの任意の組み合わせを含むがこれらに限定されない、さまざまなタイプのユーザ信用証明を用いることができる。ユーザが現場へのアクセスを有するときの時間に依存して、制限された領域に支援データを提供してもよい。例えば、エアポートターミナルを最初に閉じ、その後、フードコード、そしてセキュリティエリアを閉じてもよい。従業員は、完全な支援データを得ることができる一方で、旅行者は得られないかもしれない。
【００２８】
［００４３］
チケットベースの制限の例に関して、ユーザは、博物館または遊園地のような現場へのｅチケットを有することができる。チケットの有効性に基づいて、支援データを提供することができる。チケットは、現場への入場に対して有効であるかもしれないが、ある展示ホールを訪問することに対しては有効ではないかもしれない。このようなケースでは、提供される支援データは、このような展示ホールをカバーしなくてもよい。
【００２９】
［００４４］
図４は、本開示の態様にしたがって、現場にアクセスするためのユーザの特権に基づいて、現場の支援データを提供する、さらに別の例示的なインプリメンテーションを図示している。図４の例では、現場４００は、ユーザの特権に基づいて、ロイヤルティーベースの制限を実現してもよい。例えば、現場４００によって提供されるロイヤルティープログラムにより認証されている移動体デバイスが、屋内ポジショニングを要求するとき、ロイヤルティープログラムにより認証されている移動体デバイスは、ロイヤルティープログラムにより認証されていない移動体デバイスよりも、より詳細な支援データ（例えば、より多くのアクセスポイント、より詳細なマップ等）を得ることができる。類似する方法を、ショッピングモールのようなマルチテナント現場に適用してもよく、すると、ショッピングモールのクライアントアプリケーションの登録ユーザは、アップグレードされた支援データを得ることができる一方で、非登録ユーザは、基本的な支援データを得ることができる。例えば、アップグレードされた支援データにより、登録ユーザは、アップグレードされた支援データを使用して、関心のある特定のポイントに対するサーチのような、向上したサーチ能力を有することができる。例えば、向上したサーチ能力により、登録ユーザは、現場４００中で、フードサービスを提供するストアを示すマップを取得したり、または、靴を販売するストアを示すマップを取得することができてもよい。
【００３０】
［００４５］
図５は、本開示の態様にしたがって、ポジショニング支援データを提供する例示的な装置を図示している。図５中で示す例では、装置５００は、１つ以上のプロセッサ５０２、ネットワークインターフェース５０４、データベース５０６、ポジショニング支援データモジュール５０８、メモリ５１０、および、ユーザインターフェース５１２を含んでいてもよい。１つ以上のプロセッサ５０２は、装置５００の動作を制御するように構成することができる。ネットワークインターフェース５０４は、（示していない）ネットワークと通信するように構成することができ、ネットワークは、ネットワーク上の、サーバ、コンピュータ、移動体デバイスと通信するように構成されていてもよい。データベース５０６は、ユーザ信用証明、メンバーシップ登録とともに、マップ、ディレクトリ、フロアプラン、サーチ可能な用語、イメージ、および、現場の他の情報を記憶するように構成することができる。１つ以上のプロセッサ５０２および／またはポジショニング支援データモジュール５０８は、ポジショニング支援データを提供する方法を実現するように構成することができる。例えば、プロセッサ５０２とともに動作させて、図１〜図４、図６Ａ〜６Ｄに関連して説明した方法を実現するように、ポジショニング支援データモジュール５０８を構成することができる。メモリ５１０は、装置５００に対する、プログラムコード、命令、およびデータを記憶するように構成することができる。ユーザインターフェース５１２は、装置５００とユーザとの間の対話を可能にするように構成されていてもよい。本開示の態様にしたがうと、装置５００は、サーバの一部として実現してもよい。そのインプリメンテーションにおいて、ポジショニング支援データは、ネットワークインターフェース５０４を介して、移動体デバイスに通信されてもよい。本開示の他の態様にしたがうと、装置５００は、移動体デバイスの一部として実現してもよい。そのインプリメンテーションにおいて、ポジショニング支援データは、移動体デバイスによって使用されてもよく、および／または、ネットワークインターフェース５０４を介して、他の移動体デバイスまたはサーバに通信されてもよい。さらに他のインプリメンテーションにおいて、装置５００のいくつかのブロックは、移動体デバイス中で実現してもよく、装置５００のいくつかのブロックは、サーバ中にあってもよい。これらのインプリメンテーションまたはこれらの任意の組み合わせは、本開示の範囲内にある。
【００３１】
［００４６］
図６Ａは、本開示の態様にしたがって、現場の支援データを移動体デバイスに提供する方法を実現する別の例示的なフローチャートを図示している。図６Ａ中で示す例示的なインプリメンテーションでは、６０２において、方法は、現場の支援データにアクセスするための要求を移動体デバイスから受信する。
６０４において、方法は、移動体デバイスに関係付けられているユーザ信用証明をデータベースから取り出す。６０６において、方法は、ユーザ信用証明に少なくとも部分的に基づいて、現場にアクセスするための移動体デバイスの特権を決定する。６０８において、方法は、現場にアクセスするための移動体デバイスの特権に少なくとも部分的に基づいて、現場の支援データを移動体デバイスに提供する。
【００３２】
［００４７］
本開示の態様にしたがうと、ブロック６０６中で実行する方法は、ブロック６１２、ブロック６１４、ブロック６１６、または、６１２から６１６からの２つ以上のブロックで実行される方法をさらに含んでいてもよい。図６Ｂは、本開示の態様にしたがって、現場にアクセスするための移動体デバイスの特権を決定するための例示的なインプリメンテーションを図示している。図６Ｂ中で示すように、ブロック６１２において、方法は、時間ベースの制限にしたがって、現場にアクセスするための移動体デバイスの特権を決定する。ブロック６１４において、方法は、チケットベースの制限にしたがって、現場にアクセスするための移動体デバイスの特権を決定する。ブロック６１６において、方法は、ロイヤルティーベースの制限にしたがって、現場にアクセスするための移動体デバイスの特権を決定する。
【００３３】
［００４８］
図６Ｃは、本開示の態様にしたがって、現場の支援データを移動体デバイスに提供するための例示的なインプリメンテーションを図示している。本開示の態様にしたがうと、ブロック６０８で実行する方法は、ブロック６２０、ブロック６２２、ブロック６２４、ブロック６２６、または６２０から６２６の任意の２つ以上のブロックをさらに含んでいてもよい。図６Ｃ中で示す例では、ブロック６２０において、方法は、現場の支援データを現場のマップのセットに制限し、現場のマップのセットは、移動体デバイスがアクセスすることを認可されているエリアを識別する。ブロック６２２において、方法は、現場の支援データを現場のサーチ特徴のセットに制限し、サーチ特徴のセットは、移動体デバイスがサーチすることを認可されている、現場の情報を含んでいる。ブロック６２４において、方法は、現場の支援データを現場のポジショングリッドのセットに制限し、ポジショングリッドのセットは、移動体デバイスが表示することを認可されている、現場の詳細表示のレベルを表す。ブロック６２６において、方法は、現場の支援データを現場の関心のあるポイントのセットに制限し、関心のあるポイントのセットは、移動体デバイスが表示することを認可されている、現場の情報を含んでいる。
【００３４】
［００４９］
図６Ｄは、本開示の態様にしたがって、現場の支援データを移動体デバイスに提供するための別の例示的なインプリメンテーションを図示している。本開示の態様にしたがうと、ブロック６０８で実行される方法は、ブロック６３０で実行される方法、および／または、ブロック６３４で実行される方法をさらに含んでいてもよい。さらに、ブロック６３０で実行される方法は、ブロック６３２で実行される方法を含んでいてもよく、ブロック６３４で実行される方法は、ブロック６３６で実行される方法を含んでいてもよい。図６Ｄ中に示す例示的なインプリメンテーションでは、ブロック６３０において、方法は、現場にアクセスするための移動体デバイスの特権に少なくとも部分的に基づいて、移動体デバイスのポジションを提供する。例えば、ネットワークベースのポジショニングインプリメンテーションにおいて、サーバは、移動体デバイスのポジションを決定し、その後、ポジションを移動体デバイスに提供してもよい。他のインプリメンテーションでは、移動体デバイスは、支援データを受信し、支援データを使用して、そのポジションを決定してもよい。ブロック６３２において、方法は、現場にアクセスするための移動体デバイスの特権にしたがって、可能性あるポジションの確率分布の表示を提供する。ブロック６３４において、方法は、現場にアクセスするための移動体デバイスの特権にしたがって、１つ以上のロケーションコンテキスト識別子を移動体デバイスに提供する。ブロック６３６において、方法は、現場にアクセスするための移動体デバイスの特権にしたがって、バロメータベースのロケーションコンテキスト識別子曖昧性解消を移動体デバイスに提供し、バロメータベースのロケーションコンテキスト識別子曖昧性解消は、レベルの数、レベル間の高さ、または現場のレベル間の遷移マトリックス、あるいはこれらの組み合わせを含んでいる。
【００３５】
［００５０］
図７は、本開示の態様にしたがった、移動体デバイスの例示的なブロックダイヤグラムを図示している。図７中に示すように、移動体デバイス７００は、図１Ａ〜１Ｄ、図５および図６Ａ〜６Ｄと関係付けて説明したような、１つ以上の移動体デバイスのうちの１つ以上の特徴を含んでいてもよい。ある実施形態において、ワイヤレス通信ネットワークを通し、ワイヤレスアンテナ７２２を介して、ワイヤレス信号７２３を送信および受信できるワイヤレストランシーバ７２１も、移動体デバイス７００は含んでいてもよい。ワイヤレストランシーバ７２１は、ワイヤレストランシーババスインタフェース７２０によって、バス７０１に接続されていてもよい。ワイヤレストランシーババスインターフェース７２０は、いくつかの実施形態において、ワイヤレストランシーバ７２１と少なくとも部分的に統合されていてもよい。いくつかの実施形態は、複数のワイヤレストランシーバ７２１およびワイヤレスアンテナ７２２を含み、例えば、ＩＥＥＥ標準規格８０２．１１のバージョン、ＣＤＭＡ、ＷＣＤＭＡ（登録商標）、ＬＴＥ（登録商標）、ＵＭＴＳ、ＧＭＳ、ＡＭＰＳ、Ｚｉｇｂｅｅ（登録商標）およびＢｌｕｅｔｏｏｔｈ（登録商標）等のような、対応する複数のワイヤレス通信標準規格にしたがって、信号を、送信および／または受信できるようにしてもよい。
【００３６】
［００５１］
本開示の態様にしたがうと、ワイヤレストランシーバ７２１は、送信機および受信機を含んでいてもよい。送信機および受信機は、共通の回路を共有するように実現してもよく、または、別々の回路として実現してもよい。移動体デバイスデバイス７００は、ＳＰＳアンテナ７５８を介して、ＳＰＳ信号７５９を受信および獲得できる、ＳＰＳ受信機７５５も含んでいてもよい。ＳＰＳ受信機７５５はまた、移動体デバイス７００のロケーションを推定するために、獲得したＳＰＳ信号７５９を、全体的または部分的に処理してもよい。いくつかの実施形態において、プロセッサ７１１、メモリ７４０、ＤＳＰ７１２および／または（示していない）特殊化されたプロセッサも、全体的に、または、部分的に、獲得したＳＰＳ信号を処理するために、ならびに／あるいは、ＳＰＳ受信機７５５とともに、移動体デバイス７００の推定ロケーションを計算するために、利用してもよい。ポジショニング動作を実行する際に使用するＳＰＳまたは他の信号の記憶は、メモリ７４０または（示していない）レジスタ中で実行してもよい。
【００３７】
［００５２］
図７中でも示すように、移動体デバイス７００は、バスインターフェース７１０によってバス７０１に接続されているデジタル信号プロセッサ（ＤＳＰ７１２）、バスインターフェース７１０によってバス７０１に接続されているプロセッサ７１１、および、メモリ７４０を含んでいてもよい。バスインターフェース７１０は、ＤＳＰ７１２、プロセッサ７１１およびメモリ７４０と統合されていてもよい。さまざまな実施形態において、機能は、ほんの数例を挙げると、ＲＡＭ、ＲＯＭ、ＦＡＬＳＨ、またはディスクドライブのような、コンピュータ読取可能記憶媒体上のような、メモリ７４０中に記憶されている１つ以上の機械読取可能命令の実行に応答して実行してもよい。１つ以上の命令は、プロセッサ７１１、特殊化されたプロセッサ、またはＤＳＰ７１２によって、実行可能である。メモリ７４０は、ここで説明した機能を実行するために、プロセッサ７１１および／またはＤＳＰ ７１２によって実行可能であるソフトウェアコード（プログラミングコード、命令等）を記憶する、非一時的なプロセッサ読取可能メモリ、および／または、コンピュータ読取可能メモリを含んでいてもよい。特定のインプリメンテーションにおいて、ワイヤレストランシーバ７２１は、バス７０１を通して、プロセッサ７１１および／またはＤＳＰ７１２と通信して、移動体デバイス７００を上記で説明したようなワイヤレス移動体デバイスとして構成できるようにしてもよい。プロセッサ７１１および／またはＤＳＰ７１２は、命令を実行して、図６Ａ〜６Ｄに関連して上記で説明したプロセス／方法の１つ以上の態様を実行してもよい。
【００３８】
［００５３］
図７中に示すように、ユーザインターフェース７３５は、例えば、スピーカ、マイクロフォン、ディスプレイデバイス、振動デバイス、キーボード、タッチスクリーン等のような、いくつかのデバイスのうちのいずれか１つを含んでいてもよい。特定のインプリメンテーションにおいて、ユーザインターフェース７３５は、ユーザが、移動体デバイス７００上でホスト管理されている１つ以上のアプリケーションと対話できるようにしてもよい。例えば、ユーザインターフェース７３５のデバイスは、ユーザからのアクションに応答して、ＤＳＰ７１２またはプロセッサ７１１によってさらに処理されることになるアナログまたはデジタル信号をメモリ７４０上に記憶させてもよい。同様に、移動体デバイス７００上でホスト管理されるアプリケーションは、ユーザに出力信号を提示するために、メモリ７４０にアナログまたはデジタル信号を記憶させてもよい。別のインプリメンテーションにおいて、移動体デバイス７００は、例えば、専用スピーカ、マイクロフォン、デジタルアナログ回路、アナログデジタル回路、増幅器および／または利得制御を含む、専用オーディオ入力／出力（Ｉ／Ｏ）デバイス７７０をオプション的に含んでいてもよい。別のインプリメンテーションにおいて、移動体デバイス７００は、キーボードまたはタッチスクリーンデバイス上の接触または圧力に応答するタッチセンサ７６２を含んでいてもよい。
【００３９】
［００５４］
移動体デバイス７００は、静止画像または動画像を捕捉するための専用カメラデバイス７６４も含んでいてもよい。専用カメラデバイス７６４は、例えば、イメージセンサ（例えば、電荷結合素子またはＣＭＯＳイメージャ）、レンズ、アナログデジタル回路、フレームバッファ等を含んでいてもよい。１つのインプリメンテーションにおいて、捕捉したイメージを表す信号の、追加の処理、調整、エンコードまたは圧縮は、プロセッサ７１１またはＤＳＰ７１２において実行してもよい。代替的に、専用ビデオプロセッサ７６８が、補捉したイメージを表す信号の、調整、エンコード、圧縮または操作を実行してもよい。さらに、専用ビデオプロセッサ７６８は、移動体デバイス７００のディスプレイ上での表示のために記憶されているイメージデータを、デコードまたは伸長してもよい。
【００４０】
［００５５］
移動体デバイス７００は、バス７０１に結合されているセンサ７６０も含んでいてもよく、センサ７６０は、例えば、慣性センサと環境センサを含んでいてもよい。センサ７６０の慣性センサは、例えば、（例えば、３次元の移動体デバイス７００の加速度に集合的に応答する）加速度計、１つ以上のジャイロスコープ、または（例えば、１つ以上のコンパスアプリケーションをサポートするための）１つ以上の磁力計を含んでいてもよい。移動体デバイス７００の環境センサは、ほんの数例を挙げると、例えば、温度センサ、気圧センサ、周囲光センサ、カメライメージャ、マイクロフォンを含んでいてもよい。センサ７６０は、例えば、ポジショニングまたはナビゲーション動作に向けられているような、１つ以上のアプリケーションのサポートにおいて、メモリ７４０中に記憶され、ＤＰＳまたはプロセッサ７１１によって処理することができる、アナログまたはデジタル信号を発生させてもよい。
【００４１】
［００５６］
特定のインプリメンテーションにおいて、移動体デバイス７００は、ワイヤレストランシーバ７２１またはＳＰＳ受信機７５５において受信およびダウンコンバートした信号のベースバンド処理を実行できる、専用モデムプロセッサ７６６を含んでいてもよい。同様に、専用モデムプロセッサ７６６は、ワイヤレストランシーバ７２１による送信のためにアップコンバートされることになる信号のベースバンド処理を実行してもよい。代替のインプリメンテーションでは、専用モデムプロセッサを有する代わりに、ベースバンド処理は、プロセッサまたはＤＳＰ（例えば、プロセッサ７１１またはＤＳＰ７１２）によって、実行してもよい。
【００４２】
［００５７］
少なくとも次の３段落、図１Ａ〜１Ｄ、図５、図６Ａ〜６Ｄ、図７、およびその対応する説明は、現場の支援データにアクセスするための要求を移動体デバイスから受信する手段、移動体デバイスに関係付けられているユーザ信用証明を取り出す手段、ユーザ信用証明に少なくとも部分的に基づいて、現場にアクセスするための移動体デバイスの特権を決定する手段、現場にアクセスするための移動体デバイスの特権に少なくとも部分的に基づいて、現場の支援データを移動体デバイスに提供する手段、時間ベースの制限にしたがって、現場にアクセスするための移動体デバイスの特権を決定する手段、チケットベースの制限にしたがって、現場にアクセスするための移動体デバイスの特権を決定する手段、ロイヤルティーベースの制限にしたがって、現場にアクセスするための移動体デバイスの特権を決定する手段、現場の支援データを現場のマップのセットに制限する手段、現場の支援データを現場のサーチ特徴のセットに制限する手段、現場の支援データを現場のポジショングリッドのセットに制限する手段、現場の支援データを現場の関心のあるポイントのセットに制限する手段、現場にアクセスするための移動体デバイスの特権に少なくとも部分的に基づいて、移動体デバイスのポジションを提供する手段、現場にアクセスするための移動体デバイスの特権にしたがって、可能性あるポジションの確率分布の表示を提供する手段を提供する。
【００４３】
［００５８］
ここで説明した方法論は、特定の例にしたがうアプリケーションに依存して、さまざまな手段によって実現してもよい。例えば、このような方法論は、ハードウェア、ファームウェア、ソフトウェア、またはこれらの組み合わせで実現してもよい。例えば、ハードウェアインプリメンテーションでは、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、電子デバイス、ここで説明した機能を実行するように設計されている他の電子ユニット、または、これらを組み合わせたものの内で、処理ユニットを実現してもよい。
【００４４】
［００５９］
ここに含まれる詳細な発明のいくつかの部分は、特定の装置あるいは特別目的のコンピューティングデバイスまたはプラットフォームの、メモリ内に記憶されているバイナリデジタル信号上での、動作のアルゴリズムまたは記号表現に関して提示されている。この特定の明細書の文脈では、用語、特定の装置またはこれらに類似するものは、いったんプログラムされると、プログラムソフトウェアからの命令に準じた特定の動作を実行する汎用コンピュータを含んでいる。アルゴリズム的な説明および記号表現は、他の当業者にそれらの作用の内容を伝えるための、信号処理技術または関連技術の当業者によって使用される技術の例である。アルゴリズムは、ここで、および一般的に、所望の結果をもたらす、自己矛盾のない動作シーケンスまたは類似する信号であると考えられる。この文脈では、動作または処理は、物理量の物理的操作を伴う。必ずではないが、典型的に、このような量は、記憶され、伝えられ、組み合わせられ、比較され、またはそうでなければ操作することができる電気信号または磁気信号の形態をとってもよい。このような信号を、ビット、データ、値、要素、シンボル、記号、用語、数、数字、またはこれらに類するものと呼ぶことは、主に、共同使用の理由から、時には便利であると証明されている。しかしながら、これらの用語および類似する用語はすべて、適切な物理量に関係付けられているものであり、単に便宜的なラベルにすぎないことを理解すべきである。ここでの議論から明らかなように、そうではないと具体的に述べられない限り、本明細書全体を通して、「処理すること」、「コンピューティング」、「計算すること」、「決定すること」またはこれらに類するもののような用語を利用した議論は、特別目的コンピュータ、特別目的コンピューティング装置、または類似する特別目的電子コンピューティングデバイスのような、特定の装置のアクションまたはプロセスのことを指すと認識される。したがって、本明細書の文脈では、特別目的コンピュータまたは類似する特別目的電子コンピューティングデバイスは、特別目的コンピュータまたは類似する特別目的電子コンピューティングデバイスの、メモリ、レジスタ、または、他の情報記憶デバイス、送信デバイス、またはディスプレイデバイス内の、物理的な、電子または磁気量として典型的に表される信号を操作または変換することが可能である。
【００４５】
［００６０］
ここで説明したワイヤレス通信技術は、ワイヤレスワイドネットワーク（ＷＷＡＮ）、ワイヤレスローカルエリアネットワーク（ＷＬＡＮ）、ワイヤレスパーソナルエリアネットワーク（ＷＰＡＮ）等のような、さまざまなワイヤレス通信ネットワークに接続してもよい。用語「ネットワーク」および「システム」は、ここでは交換可能に使用するかもしれない。ＷＷＡＮは、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波周波数分割多元接続（ＳＣ−ＦＤＭＡ）ネットワーク、または上記のネットワークの任意の組み合わせ等であってもよい。ＣＤＭＡネットワークは、ほんのわずかな無線技術の例を挙げると、ｃｄｍａ２０００、ワイドバンドＣＤＭＡ（Ｗ−ＣＤＭＡ（登録商標））のような、１つ以上の無線アクセス技術（ＲＡＴ）を実現してもよい。ここで、ｃｄｍａ２０００は、ＩＳ−９５、ＩＳ−２０００、および、ＩＳ−８５６標準規格にしたがって実現されるテクノロジーを含んでいてもよい。ＴＤＭＡネットワークは、グローバルシステムフォーモバイルコミュニケーション（ＧＳＭ（登録商標））、デジタルアドバンストモバイルフォンシステム（Ｄ−ＡＭＰＳ）、または、他の何らかのＲＡＴを実現するかもしれない。ＧＳＭおよびＷ−ＣＤＭＡは、「第３世代パートナーシッププロジェクト」（３ＧＰＰ（登録商標））という名の機関による文書中に記述されている。ｃｄｍａ２０００は、「第三世代パートナーシッププロジェクト２」（３ＧＰＰ２）という名の機関による文書中に記述されている。３ＧＰＰおよび３ＧＰＰ２の文書は公に入手可能である。４Ｇロングタームエボリューション（「ＬＴＥ」）通信ネットワークはまた、ある態様で、請求項中に記載されている主題事項にしたがって実現してもよい。ＷＬＡＮは、ＩＥＥＥ８０２．１．１１ｘネットワークを含んでもよく、ＷＰＡＮは、例えば、Ｂｌｕｅｔｏｏｔｈネットワーク、ＩＥＥＥ８０２．１５ｘを含んでいてもよい。ここで説明するワイヤレス通信インプリメンテーションはまた、ＷＷＡＮ、ＷＬＡＮ、またはＷＰＡＮの任意の組み合わせに関連して使用してもよい。
【００４６】
［００６１］
別の態様では、以前に言及したように、ワイヤレス送信機またはアクセスポイントは、セルラ電話機サービスを企業または家庭に拡張するように利用されるフェムトセルを含んでいてもよい。このようなインプリメンテーションにおいて、１つ以上の移動体デバイスは、例えば、コード分割多元接続（「ＣＤＭＡ」）セルラ通信プロトコルを介して、フェムトセルと通信してもよく、インターネットのような別のブロードバンドネットワークを経由して、より大きなセルラ電気通信ネットワークへのアクセスを、フェムトセルは移動体デバイスに提供してもよい。
【００４７】
［００６２］
ここで説明した技術は、いくつかのＧＮＳＳおよび／またはＧＮＳＳの組み合わせのうちの任意の１つを含むＳＰＳとともに使用してもよい。さらに、このような技術は、「擬似衛星」として機能する地上送信機を、または、ＳＶとこのような地上送信機との組み合わせを利用する、ポジショニングシステムとともに使用してもよい。地上送信機は、例えば、ＰＮコードまたは（例えば、ＧＰＳまたはＣＤＭＡセルラ信号に類似する）他のレンジングコードをブロードキャストする地上ベースの送信機を含んでいてもよい。このような送信機には、遠隔受信機による識別を可能にするように、一意的なＰＮコードを割り当ててもよい。地上送信機は、トンネル、鉱山、建物、都市の谷、または他の囲まれたエリアなどの、軌道を回るＳＶからのＳＰＳ信号が利用できないことがある状況において、ＳＰＳを補強するのに有用であるかもしれない。擬似衛星の別のインプリメンテーションは、無線ビーコンとして知られている。ここで使用している用語、「ＳＶ」は、擬似衛星、擬似衛星の均等物、および場合によっては他のものとして機能する地上送信機を含むように意図されている。ここで使用するような、用語「ＳＰＳ信号」または「ＳＶ信号」は、擬似衛星または擬似衛星の均等物として機能する地上送信機を含む、地上送信機からのＳＰＳのような信号を含むように意図されている。
【００４８】
［００６３］
ここで使用するような、用語「および」および「または」は、このような用語が使用されている文脈に少なくとも部分的に依存するであろう、さまざまな意味を含んでいてもよい。典型的に、Ａ、Ｂ、またはＣのようなリストを関係付けるために使用される場合の「または」は、包含的な意味でここでは使用されている、Ａ、Ｂ、および、Ｃを意味するとともに、排他的な意味でここでは使用されているＡ、Ｂ、または、Ｃを意味するように意図されている。本明細書の全体に渡る「１つの例」または「例」への参照は、その例に関連して説明した特定の特徴、構造、または特性が、請求項中に記載されている主題事項のうちの少なくとも１つの例に含まれることを意味している。したがって、本明細書の全体に渡るさまざまな箇所における「１つの例では」または「例」というフレーズの出現は、必ずしもすべてが同じ例を指すわけではない。さらに、特定の特徴、構造、または特性は、１つ以上の例において組み合わされてもよい。ここで説明した例は、デジタル信号を使用して動作する、機械、デバイス、エンジンまたは装置を含んでいてもよい。このような信号は、電子信号、光信号、電磁信号、またはロケーション間で情報を提供する任意の形態のエネルギーを含んでいてもよい。
【００４９】
［００６４］
例示的な特徴であると現在考えられているものを図示し、説明してきたが、請求項中に記載されている主題事項から逸脱することなく、さまざまな他の修正を行ない、同等のものを代用してもよいことが、当業者によって理解されるだろう。さらに、ここで説明した中心概念から逸脱することなく、請求項中に記載されている主題事項の教示に特定の状況を適合させるために、多くの修正を行ってもよい。したがって、請求項中に記載されている主題事項は、開示されている特定の例に限定されず、このような請求項中に記載されている主題事項は、添付の特許請求の範囲の範囲内に入るすべての態様と、その均等物も含むことができると意図されている。
【図１Ａ】
2017511469.tif 000003
【図１Ｂ】
2017511469.tif 000004
【図１Ｃ】
2017511469.tif 000005
【図１Ｄ】
2017511469.tif 000006
【図２Ａ】
2017511469.tif 000007
【図２Ｂ】
2017511469.tif 000008
【図３Ａ】
2017511469.tif 000009
【図３Ｂ】
2017511469.tif 000010
【図４】
2017511469.tif 000011
【図５】
2017511469.tif 000012
【図６Ａ】
2017511469.tif 000013
【図６Ｂ】
2017511469.tif 000014
【図６Ｃ】
2017511469.tif 000015
【図６Ｄ】
2017511469.tif 000016
【図７】
2017511469.tif 000017
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
支援データを提供する方法において、
現場の前記支援データにアクセスするための要求を移動体デバイスから受信することと、
前記移動体デバイスに関係付けられているユーザ信用証明を取り出すことと、
前記ユーザ信用証明に少なくとも部分的に基づいて、前記現場にアクセスするための前記移動体デバイスの特権を決定することと、
前記現場にアクセスするための前記移動体デバイスの特権に少なくとも部分的に基づいて、前記現場の支援データを前記移動体デバイスに提供することとを含み、
前記現場の支援データを提供することは、
前記現場の支援データを前記現場のサーチ特徴のセットに制限することと、
前記現場の支援データを前記現場のポジショングリッドのセットに制限することと、またはこれらのいくつかの組み合わせのうちの少なくとも１つをさらに含み、
前記サーチ特徴のセットは、前記移動体デバイスがサーチすることを認可されている前記現場の情報を含み、
前記ポジショングリッドのセットは、前記移動体デバイスが表示することを認可されている前記現場の詳細表示のレベルを表す方法。
【請求項２】
前記現場にアクセスするための前記移動体デバイスの特権を決定することは、
時間ベースの制限にしたがって、前記現場にアクセスするための前記移動体デバイスの特権を決定することと、
チケットベースの制限にしたがって、前記現場にアクセスするための前記移動体限にしたがって、前記現場にアクセスするための前記移動体デバイスの特権を決定することとのうちの少なくとも１つをさらに含む請求項１記載の方法。
【請求項３】
前記現場の支援データを提供することは、
前記現場の支援データを前記現場のマップのセットに制限することを含み、
前記現場のマップのセットは、前記移動体デバイスがアクセスすることを認可されているエリアを識別する請求項１記載の方法。
【請求項４】
前記現場の支援データを提供することは、
前記現場の支援データを前記現場の関心のあるポイントのセットに制限することをさらに含み、
前記関心のあるポイントのセットは、前記移動体デバイスが表示することを認可されている前記現場の情報を含む請求項１記載の方法。
【請求項５】
前記現場の支援データを前記移動体デバイスに提供することは、
前記現場にアクセスするための前記移動体デバイスの特権に少なくとも部分的に基づいて、前記移動体デバイスのポジションを提供することをさらに含む請求項１記載の方法。
【請求項６】
前記移動体デバイスのポジションを提供することは、
前記現場にアクセスするための前記移動体デバイスの特権にしたがって、可能性あるポジションの確率分布の表示を提供することを含む請求項５記載の方法。
【請求項７】
前記現場の支援データを前記移動体デバイスに提供することは、
前記現場にアクセスするための前記移動体デバイスの特権にしたがって、１つ以上のロケーションコンテキスト識別子を前記移動体デバイスに提供することをさらに含む請求項１記載の方法。
【請求項８】
前記１つ以上のロケーションコンテキスト識別子を前記移動体デバイスに提供することは、
前記現場にアクセスするための前記移動体デバイスの特権にしたがって、バロメータベースのロケーションコンテキスト識別子曖昧性解消を前記移動体デバイスに提供することを含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項７記載の方法。
【請求項９】
装置において、
ユーザ信用証明を記憶するように構成されているデータベースと、
処理論理を含む１つ以上のプロセッサと、
現場の支援データを記憶するように構成されているメモリとを具備し、
前記処理論理は、
前記現場の支援データにアクセスするための要求を移動体デバイスから受信するように構成されている論理と、
前記移動体デバイスに関係付けられている前記ユーザ信用証明を前記データベースから取り出すように構成されている論理と、
前記ユーザ信用証明に少なくとも部分的に基づいて、前記現場にアクセスするための前記移動体デバイスの特権を決定するように構成されている論理と、
前記現場にアクセスするための前記移動体デバイスの特権に少なくとも部分的に基づいて、前記現場の支援データを前記移動体デバイスに提供するように構成されている論理とを備え、
前記現場の支援データを提供するように構成されている論理は、
前記現場の支援データを前記現場のサーチ特徴のセットに制限ように構成されている論理と、
前記現場の支援データを前記現場のポジショングリッドのセットに制限するように構成されている論理と、またはこれらのいくつかの組み合わせのうちの少なくとも１つをさらに含み、
前記サーチ特徴のセットは、前記移動体デバイスがサーチすることを認可されている前記現場の情報を含み、
前記ポジショングリッドのセットは、前記移動体デバイスが表示することを認可されている前記現場の詳細表示のレベルを表す装置。
【請求項１０】
前記現場にアクセスするための前記移動体デバイスの特権を決定するように構成されている論理は、
時間ベースの制限にしたがって、前記現場にアクセスするための前記移動体デバイスの特権を決定するように構成されている論理と、
チケットベースの制限にしたがって、前記現場にアクセスするための前記移動体デバイスの特権を決定するように構成されている論理と、または、
ロイヤルティーベースの制限にしたがって、前記現場にアクセスするための前記移動体デバイスの特権を決定するように構成されている論理とのうちの少なくとも１つをさらに含む請求項９記載の装置。
【請求項１１】
前記現場の支援データを提供するように構成されている論理は、
前記現場の支援データを前記現場のマップのセットに制限するように構成されている論理を含み、
前記現場のマップのセットは、前記移動体デバイスがアクセスすることを認可されているエリアを識別する請求項９記載の装置。
【請求項１２】
前記現場の支援データを提供するように構成されている論理は、
前記現場の支援データを前記現場の関心のあるポイントのセットに制限するように構成されている論理をさらに含み、
前記関心のあるポイントのセットは、前記移動体デバイスが表示することを認可されている前記現場の情報を含む請求項９記載の装置。
【請求項１３】
前記現場の支援データを前記移動体デバイスに提供するように構成されている論理は、
前記現場にアクセスするための前記移動体デバイスの特権に少なくとも部分的に基づいて、前記移動体デバイスのポジションを提供するように構成されている論理をさらに含む請求項９記載の装置。
【請求項１４】
前記移動体デバイスのポジションを提供するように構成されている論理は、
前記現場にアクセスするための前記移動体デバイスの特権にしたがって、可能性あるポジションの確率分布の表示を提供するように構成されている論理を含む請求項１３記載の装置。
【請求項１５】
前記現場の支援データを前記移動体デバイスに提供するように構成されている論理は、
前記現場にアクセスするための前記移動体デバイスの特権にしたがって、１つ以上のロケーションコンテキスト識別子を前記移動体デバイスに提供するように構成されている論理をさらに含む請求項９記載の装置。
【請求項１６】
前記１つ以上のロケーションコンテキスト識別子を前記移動体デバイスに提供するように構成されている論理は、
前記現場にアクセスするための前記移動体デバイスの特権にしたがって、バロメータベースのロケーションコンテキスト識別子曖昧性解消を前記移動体デバイスに提供するように構成されている論理を含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項１５記載の装置。
【請求項１７】
１つ以上のコンピュータシステムによる実行のための命令を記憶している非一時的媒体を具備するコンピュータプログラムプロダクトにおいて、
前記命令は、
現場の支援データにアクセスするための要求を移動体デバイスから受信するための命令と、
前記移動体デバイスに関係付けられているユーザ信用証明を取り出すための命令と、
前記ユーザ信用証明に少なくとも部分的に基づいて、前記現場にアクセスするための前記移動体デバイスの特権を決定するための命令と、
前記現場にアクセスするための前記移動体デバイスの特権に少なくとも部分的に基づいて、前記現場の支援データを前記移動体デバイスに提供するための命令とを含み、
前記現場の支援データを提供するための命令は、
前記現場の支援データを前記現場のサーチ特徴のセットに制限するための命令と、
前記現場の支援データを前記現場のポジショングリッドのセットに制限するための命令と、またはこれらのいくつかの組み合わせのうちの少なくとも１つをさらに含み、
前記サーチ特徴のセットは、前記移動体デバイスがサーチすることを認可されている前記現場の情報を含み、
前記ポジショングリッドのセットは、前記移動体デバイスが表示することを認可されている前記現場の詳細表示のレベルを表すコンピュータプログラムプロダクト。
【請求項１８】
前記現場にアクセスするための前記移動体デバイスの特権を決定するための命令は、
時間ベースの制限にしたがって、前記現場にアクセスするための前記移動体デバイスの特権を決定するための命令と、
チケットベースの制限にしたがって、前記現場にアクセスするための前記移動体デバイスの特権を決定するための命令と、または、
ロイヤルティーベースの制限にしたがって、前記現場にアクセスするための前記移動体デバイスの特権を決定するための命令とのうちの少なくとも１つをさらに含む請求項１７記載のコンピュータプログラムプロダクト。
【請求項１９】
前記現場の支援データを提供するための命令は、
前記現場の支援データを前記現場のマップのセットに制限するための命令を含み、
前記現場のマップのセットは、前記移動体デバイスがアクセスすることを認可されているエリアを識別する請求項１７記載のコンピュータプログラムプロダクト。
【請求項２０】
前記現場の支援データを提供するための命令は、
前記現場の支援データを前記現場の関心のあるポイントのセットに制限するための命令をさらに含み、
前記関心のあるポイントのセットは、前記移動体デバイスが表示することを認可されている前記現場の情報を含む請求項１７記載のコンピュータプログラムプロダクト。
【請求項２１】
前記現場の支援データを前記移動体デバイスに提供するための命令は、
前記現場にアクセスするための前記移動体デバイスの特権に少なくとも部分的に基づいて、前記移動体デバイスのポジションを提供するための命令をさらに含む請求項１７記載のコンピュータプログラムプロダクト。
【請求項２２】
前記移動体デバイスのポジションを提供するための命令は、
前記現場にアクセスするための前記移動体デバイスの特権にしたがって、可能性あるポジションの確率分布の表示を提供するための命令を含む請求項２１記載のコンピュータプログラムプロダクト。
【請求項２３】
前記現場の支援データを前記移動体デバイスに提供するための命令は、
前記現場にアクセスするための前記移動体デバイスの特権にしたがって、１つ以上のロケーションコンテキスト識別子を前記移動体デバイスに提供するための命令をさらに含む請求項１７記載のコンピュータプログラムプロダクト。
【請求項２４】
前記１つ以上のロケーションコンテキスト識別子を前記移動体デバイスに提供するための命令は、
前記現場にアクセスするための前記移動体デバイスの特権にしたがって、バロメータベースのロケーションコンテキスト識別子曖昧性解消を前記移動体デバイスに提供するための命令を含み、
前記バロメータベースのロケーションコンテキスト識別子曖昧性解消は、レベルの数、レベル間の高さ、または、前記現場のレベル間の遷移マトリックス、あるいは、これらの組み合わせを含む請求項２３記載のコンピュータプログラムプロダクト。
【請求項２５】
装置において、
現場の支援データにアクセスするための要求を移動体デバイスから受信する手段と、
前記移動体デバイスに関係付けられているユーザ信用証明を取り出す手段と、
前記ユーザ信用証明に少なくとも部分的に基づいて、前記現場にアクセスするための前記移動体デバイスの特権を決定する手段と、
前記現場にアクセスするための前記移動体デバイスの特権に少なくとも部分的に基づいて、前記現場の支援データを前記移動体デバイスに提供する手段とを具備し、
前記現場の支援データを提供する手段は、
前記現場の支援データを前記現場のサーチ特徴のセットに制限する手段と、
前記現場の支援データを前記現場のポジショングリッドのセットに制限する手段と、またはこれらのいくつかの組み合わせのうちの少なくとも１つをさらに備え、
前記サーチ特徴のセットは、前記移動体デバイスがサーチすることを認可されている前記現場の情報を含み、
前記ポジショングリッドのセットは、前記移動体デバイスが表示することを認可されている前記現場の詳細表示のレベルを表す装置。
【請求項２６】
前記現場にアクセスするための前記移動体デバイスの特権を決定する手段は、
時間ベースの制限にしたがって、前記現場にアクセスするための前記移動体デバイスの特権を決定する手段と、
チケットベースの制限にしたがって、前記現場にアクセスするための前記移動体デバイスの特権を決定する手段と、または、
ロイヤルティーベースの制限にしたがって、前記現場にアクセスするための前記移動体デバイスの特権を決定する手段とのうちの少なくとも１つをさらに備える請求項２５記載の装置。
【請求項２７】
前記現場の支援データを提供する手段は、
前記現場の支援データを前記現場のマップのセットに制限する手段を備え、
前記現場のマップのセットは、前記移動体デバイスがアクセスすることを認可されているエリアを識別する請求項２５記載の装置。
【請求項２８】
前記現場の支援データを提供する手段は、
前記現場の支援データを前記現場の関心のあるポイントのセットに制限する手段をさらに備え、
前記関心のあるポイントのセットは、前記移動体デバイスが表示することを認可されている前記現場の情報を含む請求項２５記載の装置。
【請求項２９】
前記現場の支援データを前記移動体デバイスに提供する手段は、
前記現場にアクセスするための前記移動体デバイスの特権に少なくとも部分的に基づいて、前記移動体デバイスのポジションを提供する手段をさらに備える請求項２５記載の装置。
【請求項３０】
前記移動体デバイスのポジションを提供する手段は、
可能性あるポジションの確率分布の表示を提供する手段を含む請求項２９記載の装置。
【手続補正２】
【補正対象書類名】明細書
【補正対象項目名】００４９
【補正方法】変更
【補正の内容】
【００４９】
［００６４］
例示的な特徴であると現在考えられているものを図示し、説明してきたが、請求項中に記載されている主題事項から逸脱することなく、さまざまな他の修正を行ない、同等のものを代用してもよいことが、当業者によって理解されるだろう。さらに、ここで説明した中心概念から逸脱することなく、請求項中に記載されている主題事項の教示に特定の状況を適合させるために、多くの修正を行ってもよい。したがって、請求項中に記載されている主題事項は、開示されている特定の例に限定されず、このような請求項中に記載されている主題事項は、添付の特許請求の範囲の範囲内に入るすべての態様と、その均等物も含むことができると意図されている。
以下に、本願出願の当初の特許請求の範囲に記載された発明を付記する。
［１］  支援データを提供する方法において、
現場の前記支援データにアクセスするための要求を移動体デバイスから受信することと、
前記移動体デバイスに関係付けられているユーザ信用証明を取り出すことと、
前記ユーザ信用証明に少なくとも部分的に基づいて、前記現場にアクセスするための前記移動体デバイスの特権を決定することと、
前記現場にアクセスするための前記移動体デバイスの特権に少なくとも部分的に基づいて、前記現場の支援データを前記移動体デバイスに提供することとを含む方法。
［２］  前記現場にアクセスするための前記移動体デバイスの特権を決定することは、
時間ベースの制限にしたがって、前記現場にアクセスするための前記移動体デバイスの特権を決定することと、
チケットベースの制限にしたがって、前記現場にアクセスするための前記移動体デバイスの特権を決定することと、または、
ロイヤルティーベースの制限にしたがって、前記現場にアクセスするための前記移動体デバイスの特権を決定することとのうちの少なくとも１つをさらに含む［１］記載の方法。
［３］  前記現場の支援データを提供することは、
前記現場の支援データを前記現場のマップのセットに制限すること、または、
前記現場の支援データを前記現場のサーチ特徴のセットに制限することのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む［１］記載の方法。
［４］  前記現場の支援データを提供することは、
前記現場の支援データを前記現場のポジショングリッドのセットに制限することと、または、
前記現場の支援データを前記現場の関心のあるポイントのセットに制限することとのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む［１］記載の方法。
［５］  前記現場の支援データを前記移動体デバイスに提供することは、
前記現場にアクセスするための前記移動体デバイスの特権に少なくとも部分的に基づいて、前記移動体デバイスのポジションを提供することをさらに含む［１］記載の方法。
［６］  前記移動体デバイスのポジションを提供することは、
前記現場にアクセスするための前記移動体デバイスの特権にしたがって、可能性あるポジションの確率分布の表示を提供することを含む［５］記載の方法。
［７］  前記現場の支援データを前記移動体デバイスに提供することは、
前記現場にアクセスするための前記移動体デバイスの特権にしたがって、１つ以上のロケーションコンテキスト識別子を前記移動体デバイスに提供することをさらに含む［１］記載の方法。
［８］  前記１つ以上のロケーションコンテキスト識別子を前記移動体デバイスに提供することは、
前記現場にアクセスするための前記移動体デバイスの特権にしたがって、バロメータベースのロケーションコンテキスト識別子曖昧性解消を前記移動体デバイスに提供することを含み、
前記バロメータベースのロケーションコンテキスト識別子曖昧性解消は、レベルの数、レベル間の高さ、または、前記現場のレベル間の遷移マトリックス、あるいは、これらの組み合わせを含む［７］記載の方法。
［９］  装置において、
ユーザ信用証明を記憶するように構成されているデータベースと、
処理論理を含む１つ以上のプロセッサと、
現場の支援データを記憶するように構成されているメモリとを具備し、
前記処理論理は、
前記現場の支援データにアクセスするための要求を移動体デバイスから受信するように構成されている論理と、
前記移動体デバイスに関係付けられているユーザ信用証明を前記データベースから取り出すように構成されている論理と、
前記ユーザ信用証明に少なくとも部分的に基づいて、前記現場にアクセスするための前記移動体デバイスの特権を決定するように構成されている論理と、
前記現場にアクセスするための前記移動体デバイスの特権に少なくとも部分的に基づいて、前記現場の支援データを前記移動体デバイスに提供するように構成されている論理とを備える装置。
［１０］  前記現場にアクセスするための前記移動体デバイスの特権を決定するように構成されている論理は、
時間ベースの制限にしたがって、前記現場にアクセスするための前記移動体デバイスの特権を決定するように構成されている論理と、
チケットベースの制限にしたがって、前記現場にアクセスするための前記移動体デバイスの特権を決定するように構成されている論理と、または、
ロイヤルティーベースの制限にしたがって、前記現場にアクセスするための前記移動体デバイスの特権を決定するように構成されている論理とのうちの少なくとも１つをさらに含む［９］記載の装置。
［１１］  前記現場の支援データを提供するように構成されている論理は、
前記現場の支援データを前記現場のマップのセットに制限するように構成されている論理と、または、
前記現場の支援データを前記現場のサーチ特徴のセットに制限するように構成されている論理とのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む［９］記載の装置。
［１２］  前記現場の支援データを提供するように構成されている論理は、
前記現場の支援データを前記現場のポジショングリッドのセットに制限するように構成されている論理と、または、
前記現場の支援データを前記現場の関心のあるポイントのセットに制限するように構成されている論理とのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む［９］記載の装置。
［１３］  前記現場の支援データを前記移動体デバイスに提供するように構成されている論理は、
前記現場にアクセスするための前記移動体デバイスの特権に少なくとも部分的に基づいて、前記移動体デバイスのポジションを提供するように構成されている論理をさらに含む［９］記載の装置。
［１４］  前記移動体デバイスのポジションを提供するように構成されている論理は、
前記現場にアクセスするための前記移動体デバイスの特権にしたがって、可能性あるポジションの確率分布の表示を提供するように構成されている論理を含む［１３］記載の装置。
［１５］  前記現場の支援データを前記移動体デバイスに提供するように構成されている論理は、
前記現場にアクセスするための前記移動体デバイスの特権にしたがって、１つ以上のロケーションコンテキスト識別子を前記移動体デバイスに提供するように構成されている論理をさらに含む［９］記載の装置。
［１６］  前記１つ以上のロケーションコンテキスト識別子を前記移動体デバイスに提供するように構成されている論理は、
前記現場にアクセスするための前記移動体デバイスの特権にしたがって、バロメータベースのロケーションコンテキスト識別子曖昧性解消を前記移動体デバイスに提供するように構成されている論理を含み、
前記バロメータベースのロケーションコンテキスト識別子曖昧性解消は、レベルの数、レベル間の高さ、または、前記現場のレベル間の遷移マトリックス、あるいは、これらの組み合わせを含む［１５］記載の装置。
［１７］  １つ以上のコンピュータシステムによる実行のための命令を記憶している非一時的媒体を具備するコンピュータプログラムプロダクトにおいて、
前記命令は、
現場の支援データにアクセスするための要求を移動体デバイスから受信するための命令と、
前記移動体デバイスに関係付けられているユーザ信用証明を取り出すための命令と、
前記ユーザ信用証明に少なくとも部分的に基づいて、前記現場にアクセスするための前記移動体デバイスの特権を決定するための命令と、
前記現場にアクセスするための前記移動体デバイスの特権に少なくとも部分的に基づいて、前記現場の支援データを前記移動体デバイスに提供するための命令とを含むコンピュータプログラムプロダクト。
［１８］  前記現場にアクセスするための前記移動体デバイスの特権を決定するための命令は、
時間ベースの制限にしたがって、前記現場にアクセスするための前記移動体デバイスの特権を決定するための命令と、
チケットベースの制限にしたがって、前記現場にアクセスするための前記移動体デバイスの特権を決定するための命令と、または、
ロイヤルティーベースの制限にしたがって、前記現場にアクセスするための前記移動体デバイスの特権を決定するための命令とのうちの少なくとも１つをさらに含む［１７］記載のコンピュータプログラムプロダクト。
［１９］  前記現場の支援データを提供するための命令は、
前記現場の支援データを前記現場のマップのセットに制限するための命令と、または、
前記現場の支援データを前記現場のサーチ特徴のセットに制限するための命令とのうちの少なくとも１つを含み、
前記現場のマップのセットは、前記移動体デバイスがアクセスすることを認可されているエリアを識別し、
前記サーチ特徴のセットは、前記移動体デバイスがサーチすることを認可されている前記現場の情報を含む［１７］記載のコンピュータプログラムプロダクト。
［２０］  前記現場の支援データを提供するための命令は、
前記現場の支援データを前記現場のポジショングリッドのセットに制限するための命令と、または、
前記現場の支援データを前記現場の関心のあるポイントのセットに制限するための命令とのうちの少なくとも１つをさらに含み、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む［１７］記載のコンピュータプログラムプロダクト。
［２１］  前記現場の支援データを前記移動体デバイスに提供するための命令は、
前記現場にアクセスするための前記移動体デバイスの特権に少なくとも部分的に基づいて、前記移動体デバイスのポジションを提供するための命令をさらに含む［１７］記載のコンピュータプログラムプロダクト。
［２２］  前記移動体デバイスのポジションを提供するための命令は、
前記現場にアクセスするための前記移動体デバイスの特権にしたがって、可能性あるポジションの確率分布の表示を提供するための命令を含む［２１］記載のコンピュータプログラムプロダクト。
［２３］  前記現場の支援データを前記移動体デバイスに提供するための命令は、
前記現場にアクセスするための前記移動体デバイスの特権にしたがって、１つ以上のロケーションコンテキスト識別子を前記移動体デバイスに提供するための命令をさらに含む［１７］記載のコンピュータプログラムプロダクト。
［２４］  前記１つ以上のロケーションコンテキスト識別子を前記移動体デバイスに提供するための命令は、
前記現場にアクセスするための前記移動体デバイスの特権にしたがって、バロメータベースのロケーションコンテキスト識別子曖昧性解消を前記移動体デバイスに提供するための命令を含み、
前記バロメータベースのロケーションコンテキスト識別子曖昧性解消は、レベルの数、レベル間の高さ、または、前記現場のレベル間の遷移マトリックス、あるいは、これらの組み合わせを含む［２３］記載のコンピュータプログラムプロダクト。
［２５］  装置において、
現場の支援データにアクセスするための要求を移動体デバイスから受信する手段と、
前記移動体デバイスに関係付けられているユーザ信用証明を取り出す手段と、
前記ユーザ信用証明に少なくとも部分的に基づいて、前記現場にアクセスするための前記移動体デバイスの特権を決定する手段と、
前記現場にアクセスするための前記移動体デバイスの特権に少なくとも部分的に基づいて、前記現場の支援データを前記移動体デバイスに提供する手段とを具備する装置。
［２６］  前記現場にアクセスするための前記移動体デバイスの特権を決定する手段は、
時間ベースの制限にしたがって、前記現場にアクセスするための前記移動体デバイスの特権を決定する手段と、
チケットベースの制限にしたがって、前記現場にアクセスするための前記移動体デバイスの特権を決定する手段と、または、
ロイヤルティーベースの制限にしたがって、前記現場にアクセスするための前記移動体デバイスの特権を決定する手段とのうちの少なくとも１つをさらに備える［２５］記載の装置。
［２７］  前記現場の支援データを提供する手段は、
前記現場の支援データを前記現場のマップのセットに制限する手段と、または、
前記現場の支援データを前記現場のサーチ特徴のセットに制限する手段とのうちの少なくとも１つを備え、
前記現場のマップのセットは、前記移動体デバイスがアクセスすることを認可されているエリアを識別し、
前記サーチ特徴のセットは、前記移動体デバイスがサーチすることを認可されている前記現場の情報を含む［２５］記載の装置。
［２８］  前記現場の支援データを提供する手段は、
前記現場の支援データを前記現場のポジショングリッドのセットに制限する手段と、または、
前記現場の支援データを前記現場の関心のあるポイントのセットに制限する手段とのうちの少なくとも１つをさらに備え、
前記ポジショングリッドのセットは、前記移動体デバイスが表示することを認可されている前記現場の詳細表示のレベルを表し、
前記関心のあるポイントのセットは、前記移動体デバイスが表示することを認可されている前記現場の情報を含む［２５］記載の装置。
［２９］  前記現場の支援データを前記移動体デバイスに提供する手段は、
前記現場にアクセスするための前記移動体デバイスの特権に少なくとも部分的に基づいて、前記移動体デバイスのポジションを提供する手段をさらに備える［２５］記載の装置。
［３０］  前記移動体デバイスのポジションを提供する手段は、
前記現場にアクセスするための前記移動体デバイスの特権にしたがって、可能性あるポジションの確率分布の表示を提供する手段を含む［２９］記載の装置。
【国際調査報告】
2017511469.tif 000018
2017511469.tif 000019